(57)【要約】【課題】小型で省スペース性に優れ、着脱によるカバー部の変形を防止でき、確実に電磁波の漏洩を低減でき信頼性に優れ、構造が簡単で生産性に優れ、カバー部の着脱が容易でメンテナンス性に優れたシールドケースの提供を目的とする。【解決手段】基板２に配設された高周波回路の外周を囲繞する側壁部を有し基板に固定されたフレーム部３と、天井部と天井部の外周に垂設された側面部とを有し側壁部の外周に嵌装されフレーム部に覆設されるカバー部１０と、を備えたシールドケースであって、（ａ）フレーム部が、側壁部の外周に長手方向に沿って形成された凹条部を有し、（ｂ）カバー部が、各側面部の長手方向の両端に分割して形成された分割側部と、各側面部の両端の分割側部の間に１以上形成された嵌合側部と、各嵌合側部の内側に形成された嵌合凸条部と、を有し、凹条部と嵌合凸条部が着脱自在に嵌合されている。【選択図】図１
2006093181.tif 000002
【特許請求の範囲】
【請求項１】
基板に配設された高周波回路の外周を囲繞する側壁部を有し前記基板に固定されたフレーム部と、天井部と前記天井部の外周に垂設された側面部とを有し前記側壁部の外周に嵌装され前記フレーム部に覆設されるカバー部と、を備えたシールドケースであって、（ａ）前記フレーム部が、前記側壁部の外周に長手方向に沿って形成された凹条部を有し、（ｂ）前記カバー部が、前記各側面部の長手方向の両端に分割して形成された分割側部と、前記各側面部の前記両端の分割側部の間に１以上形成された嵌合側部と、前記各嵌合側部の内側に形成された嵌合凸条部と、を有し、前記凹条部と前記嵌合凸条部が着脱自在に嵌合されていることを特徴とするシールドケース。
【請求項２】
前記フレーム部が、前記側壁部の上端内周に全周に渡って形成され前記天井部の裏面に当接する当接部を備えていることを特徴とする請求項１に記載のシールドケース。
【請求項３】
前記嵌合凸条部が、前記嵌合側部を略くの字形に折曲して形成されていることを特徴とする請求項１又は２に記載のシールドケース。
【請求項４】
前記フレーム部が、前記側壁部の下端に突設された位置決め凸部を有し、前記位置決め凸部が前記基板に穿設された固定孔に挿通され前記基板の裏面で半田付けされていることを特徴とする請求項１乃至３の内いずれか１項に記載のシールドケース。
【発明の詳細な説明】
【技術分野】
【０００１】
本発明はコードレス電話子機や携帯電話等の高周波（ＲＦ）回路における電磁波を遮断するためのシールドケースに関するものである。
【背景技術】
【０００２】
従来からコードレス電話子機や携帯電話等の無線通信機器の高周波回路から発せられる電磁波を遮断するために、高周波回路の外周及び上部を覆うシールドケースが設けられている。
【０００３】
例えば（特許文献１）には「枠状のシールドケースの側壁部先端に、位置決め爪を突設し、この位置決め爪をプリント基板に植設してシールドケースを位置決めすると共に、シールドケースの側壁部とプリント基板との間を半田付けすることによってシールドケースをプリント基板に固定して、プリント基板のシールド構造を構成し、且つ、シールドケースの側壁部の半田付け部位上部を切欠くことによって、シールドケース内方に突出する絞り片を形成して、この絞り片の形成によって半田付け時の熱逃し用孔を形成したことを特徴とするシールド構造。」が開示されている。
【特許文献１】特開平１１−３０７９７６号公報
【発明の開示】
【発明が解決しようとする課題】
【０００４】
しかしながら上記従来の技術では、以下のような課題を有していた。
【０００５】
（１）使用される周波数が高くなったことにより、従来よりも電磁波が漏れ易くなり、（特許文献１）のようにシールドケースの熱逃し用孔やロック用孔等の開口部やシールドカバーのロック爪間の切り欠き部等により密閉が不十分な場合、電磁波の遮断が不完全となり、電磁波の漏洩（不要輻射）が発生し易くなるという課題を有していた。また、シールドカバーの着脱時にロック爪に応力が発生し、ロック爪が変形した場合、シールドケースの側壁部とロック爪との間に隙間が生じ、不要輻射が増加し易くなるという課題を有していた。
【０００６】
また、無線通信機器の小型化に伴ってシールドケースの小型化も望まれており、小型のシールドケースにおいて、十分なシールド性を有する構造の検討が望まれていた。
【０００７】
本発明は上記従来の課題を解決するもので、小型で省スペース性に優れ、着脱によるカバー部の変形を防止でき、確実に電磁波の漏洩を低減でき信頼性に優れ、構造が簡単で生産性に優れ、カバー部の着脱が容易で組立作業性、メンテナンス性に優れたシールドケースを提供することを目的とする。
【課題を解決するための手段】
【０００８】
上記課題を解決するために本発明のシールドケースは、基板に配設された高周波回路の外周を囲繞する側壁部を有し基板に固定されたフレーム部と、天井部と天井部の外周に垂設された側面部とを有し側壁部の外周に嵌装されフレーム部に覆設されるカバー部とを備えたシールドケースであって、（ａ）フレーム部が、側壁部の外周に長手方向に沿って形成された凹条部を有し、（ｂ）カバー部が、各側面部の長手方向の両端に分割して形成された分割側部と、各側面部の両端の分割側部の間に１以上形成された嵌合側部と、各嵌合側部の内側に形成された嵌合凸条部と、を有し、凹条部と嵌合凸条部が着脱自在に嵌合されている構成を有している。
【０００９】
これにより、フレーム部にカバー部を覆設する際に、側壁部の凹条部に嵌合側部の嵌合凸条部を確実に嵌合させることができ、フレーム部とカバー部との間の隙間を減少させることができるので、電磁波の漏洩を低減できると共に、カバー部の側面部の両端に嵌合側部と分割して分割側部を形成することにより、カバー部の着脱時に分割側部に応力が発生せず、変形を防止でき、経時的に電磁波の漏洩が増加するのを防止でき信頼性に優れ、カバー部の着脱が容易で組立作業性、メンテナンス性に優れ、構造が簡単で容易に小型化することができる生産性に優れたシールドケースを提供することができる。
【発明の効果】
【００１０】
以上説明したように本発明のシールドケースによれば、以下のような有利な効果が得られる。
【００１１】
（１）カバー部の各側面部の長手方向の両端に分割して分割側部が形成され、各側面部の両端の分割側部の間に１以上の嵌合側部が形成されているので、カバー部の着脱時に応力が集中し易い四隅の分割側部に応力が発生せず、カバー部の変形を防止することができ、経時的に電磁波の漏洩が増加するのを防止できる信頼性に優れたシールドケースを提供することができる。
【００１２】
（２）カバー部の各側面部に形成された嵌合側部を複数に分割することにより、各嵌合側部の長さを短くすることができ、ばね性による変形を容易にしてカバー部の着脱性を向上させることができる組立作業性、メンテナンス性に優れたシールドケースを提供することができる。
【００１３】
（３）フレーム部の上端内周に全周に渡って形成された当接部が、切り欠き等を有さないことにより、カバー部の天井部の裏面とフレーム部の当接部を面接触させることができ、フレーム部の側壁部の上端からの電磁波の漏洩（不要輻射）が発生し難いシールド性に優れたシールドケースを提供することができる。
【００１４】
（４）フレーム部が側壁部と当接部を有し、その断面形状が略Ｌ字形に形成されるので、フレーム部の剛性を向上させることができ、フレーム部の変形や破損が発生し難く耐久性に優れたシールドケースを提供することができる。
【００１５】
（５）嵌合側部を略くの字形に折曲するだけで嵌合凸条部を形成することができる生産性に優れたシールドケースを提供することができる。
【００１６】
（６）嵌合凸条部を略くの字形に形成し、嵌合側部の下端側を外方に拡開させることにより、カバー部の側面部の高さを低くでき、無線通信機器全体をコンパクト化することができる省スペース性に優れたシールドケースを提供することができる。
【００１７】
（７）フレーム部の側壁部の下端に突設された位置決め凸部を基板に穿設された固定孔に挿通するだけで容易にフレーム部を位置決めして仮固定することができる組立作業性に優れたシールドケースを提供することができる。
【００１８】
（８）フレーム部の位置決め凸部を基板上に配設された他の電子部品等と一緒に半田付けして固定することができる生産性、組立作業性に優れたシールドケースを提供することができる。
【発明を実施するための最良の形態】
【００１９】
本発明は、小型で省スペース性に優れ、着脱によるカバー部の変形を防止でき、確実に
電磁波の漏洩を低減でき信頼性に優れ、構造が簡単で生産性に優れ、カバー部の着脱が容易で組立作業性、メンテナンス性に優れたシールドケースを提供するという目的を、フレーム部の側壁部の外周に長手方向に沿って凹条部を形成し、カバー部の各側面部の長手方向の両端に分割側部を形成し、各側面部の両端の分割側部の間に１以上形成した嵌合側部の内側に嵌合凸条部を設け、凹条部と嵌合凸条部を着脱自在に嵌合することにより実現した。
【００２０】
上記課題を解決するためになされた第１の発明は、基板に配設された高周波回路の外周を囲繞する側壁部を有し基板に固定されたフレーム部と、天井部と天井部の外周に垂設された側面部とを有し側壁部の外周に嵌装されフレーム部に覆設されるカバー部と、を備えたシールドケースであって、（ａ）フレーム部が、側壁部の外周に長手方向に沿って形成された凹条部を有し、（ｂ）カバー部が、各側面部の長手方向の両端に分割して形成された分割側部と、各側面部の両端の分割側部の間に１以上形成された嵌合側部と、各嵌合側部の内側に形成された嵌合凸条部と、を有し、凹条部と嵌合凸条部が着脱自在に嵌合された構成を有している。
【００２１】
この構成により、以下の作用を有する。
【００２２】
（１）高周波回路の外周を囲繞する側壁部を有するフレーム部が基板に固定され、天井部と天井部の外周に垂設された側面部とを有するカバー部が側壁部の外周に嵌装されフレーム部に覆設されているので、高周波回路の外周及び上面を覆って高周波回路が発する電磁波を遮断することができる。
【００２３】
（２）カバー部がフレーム部と別部材で形成されていることにより、カバー部を着脱することができ、フレーム部の内部に収容された高周波回路や電子部品等の交換や点検を簡便に行うことができる。
【００２４】
（３）フレーム部が側壁部の外周に長手方向に沿って形成された凹条部を有し、カバー部が各側面部の長手方向に内側に嵌合凸条部が形成された嵌合側部を有するので、凹条部と嵌合凸条部を着脱自在に嵌合することができ、フレーム部の側壁部とカバー部の各側面部との間の隙間を減少させて面接触させることができ、電磁波のシールド性を向上させることができる。
【００２５】
（４）カバー部の各側面部の長手方向の両端に分割して分割側部が形成され、各側面部の両端の分割側部の間に１以上の嵌合側部が形成されているので、カバー部の着脱時に応力が集中し易い四隅の分割側部に応力が発生せず、カバー部の変形を防止することができ、経時的に電磁波の漏洩が増加するのを防止できる。
【００２６】
（５）カバー部の各側面部に形成された嵌合側部を複数に分割することにより、各嵌合側部の長さを短くすることができ、ばね性による変形を容易にして着脱性を向上させることができる。
【００２７】
（６）各嵌合側部の内側に嵌合凸条部が形成されているので、カバー部をフレーム部に被せるようにして上から下へ押し付けるだけで、カバー部の嵌合側部のばね性により、容易にカバー部の嵌合凸条部をフレーム部の凹条部に嵌合させて固定することができる。
【００２８】
ここで、フレーム部及びカバー部の材質としては、電磁波のシールド性に優れるメッキ鋼板が好適に用いられる。フレーム部の凹条部は側壁部を絞り加工することによる形成される。これにより、側壁部には開口部や切り欠き部が形成されず、シールド性を向上させることができる。
【００２９】
フレーム部の凹条部の長さは、カバー部の嵌合側部に形成される嵌合凸条部の全長よりも長めに形成する。これにより、確実にカバー部の嵌合凸条部をフレーム部の凹条部に嵌合させて固定することができる。
【００３０】
フレーム部の上面が開口していることにより、内部に収容された高周波回路や電子部品等の電気接続状態の確認や交換等を容易に行なうことができ、組立作業性、メンテナンス性に優れる。
【００３１】
カバー部の各分割側部の長さは、各側面部の全長の８％〜１５％に形成するのが好ましい。各分割側部の長さが各側面部の全長の８％より短くなるにつれ分割側部の強度が低下し、破損し易くなる傾向があり、１５％より長くなるにつれ嵌合側部の長さが不足し、カバー部の固定が不十分になる傾向があり、いずれも好ましくない。
【００３２】
嵌合側部の分割数は、側面部の長さに応じて適宜、選択することができる。また、四隅で隣接する分割側部同士は分割して形成される。これにより、カバー部の着脱時に分割側部に応力集中が発生するのを防止でき、分割側部の変形や破損が発生せず、信頼性に優れる。
【００３３】
嵌合凸条部は各嵌合側部の内側に凸条に形成された別部材を接着する等して形成してもよいし、嵌合側部を折り曲げ加工して形成してもよい。
【００３４】
上記課題を解決するためになされた第２の発明は、第１の発明に記載のシールドケースであって、前記フレーム部が、前記側壁部の上端内周に全周に渡って形成され前記天井部の裏面に当接する当接部を備えた構成を有している。
【００３５】
この構成により、第１の発明の作用に加え、以下のような作用を有する。
【００３６】
（１）フレーム部の上端内周に全周に渡って当接部が形成され、切り欠き等を有さないので電磁波のシールド性に優れる。
【００３７】
（２）フレーム部の側壁部の上端に当接部が形成されていることにより、天井部の裏面と当接部の上面を面接触させることができ、電磁波のシールド性を向上できる。
【００３８】
（３）フレーム部が側壁部と当接部を有し、その断面形状が略Ｌ字形に形成されるので、フレーム部の剛性を向上させることができ、フレーム部の変形や破損の発生を低減できる。
【００３９】
ここで、フレーム部は略ロ字形に形成された平板状の部材を側壁部と当接部の間で折り曲げるだけで容易に製造することができ、生産性に優れる。側壁部の両端部にはそれぞれ切り欠きを有する係止部を形成し、隣接する側壁部同士を互いに係止して固定する。これにより、容易にフレーム部を組立てることができ、生産性を向上させることができる。
【００４０】
また、フレーム部には当接部から内側に向かって延設されたリブと、リブにより支持され基板と平行に配設された吸着部を形成することが好ましい。これにより、吸着部をエアで吸着してフレーム部の搬送や基板への位置決め等を自動で行うことができ、生産性に優れる。
【００４１】
上記課題を解決するためになされた第３の発明は、第１又は第２の発明に記載のシールドケースであって、嵌合凸条部が、嵌合側部を略くの字形に折曲して形成
された構成を有している。
【００４２】
この構成により、第１又は第２の発明の作用に加え、以下のような作用を有する。
【００４３】
（１）嵌合側部を略くの字形に折曲するだけで嵌合凸条部を形成することができ、生産性に優れる。
【００４４】
（２）嵌合凸条部が略くの字形に形成されていることにより、嵌合側部の下端側が外方に拡開し、カバー部の側面部の高さを低くでき、全体をコンパクト化することができる。
【００４５】
上記課題を解決するためになされた第４の発明は、第１乃至第３の発明の内いずれかのシールドケースであって、フレーム部が、側壁部の下端に突設された位置決め凸部を有し、位置決め凸部が基板に穿設された固定孔に挿通され基板の裏面で半田付けされた構成を有している。
【００４６】
この構成により、第１乃至第３の発明の内いずれか１項の作用に加え、以下のような作用を有する。
【００４７】
（１）フレーム部の側壁部の下端に位置決め凸部が突設されているので、位置決め凸部を基板に穿設された固定孔に挿通するだけで容易にフレーム部を位置決めして仮固定することができ、組立作業性に優れる。
【００４８】
（２）フレーム部の位置決め凸部が基板の裏面で半田付けされるので、基板上に配設された他の電子部品等と一緒に半田付けを行って固定することができ、生産性を向上させることができる。
【００４９】
ここで、位置決め凸部は少なくとも２以上配設される。３以上の側壁部にそれぞれ１以上の位置決め凸部を設けた場合、フレーム部の前後、左右の位置ずれを防止することができ、確実に位置決め固定することができる。位置決め凸部の先端（下端）側が根元（側壁部）側より幅が狭くなるようにテーパ部を形成するか、先端（下端）側の隅部を面取りすることが好ましい。これにより、容易に位置決め凸部を基板の固定孔に挿通することができ、組立作業性を向上させることができる。
【００５０】
（実施の形態１）
以下、本発明の実施の形態について、各図に基づいて説明する。
【００５１】
図１は本発明の実施の形態１におけるシールドケースを示す分解斜視図であり、図２は本発明の実施の形態１におけるシールドケースを示す全体斜視図である。
【００５２】
図１及び図２中、１は本発明の実施の形態１におけるシールドケースであり、無線通信機器の高周波回路を覆うために適用される。２は無線通信機器の高周波回路や電子部品（図示せず）が配設された基板、３は基板２に配設された高周波回路が収容された無線通信機器のシールドケース１のフレーム部である。
【００５３】
４は高周波回路の外周を囲繞するフレーム部３の側壁部、４ａは側壁部４の下端に突設され基板２に穿設された固定孔２ａに挿通され基板２の裏面で半田付けされたフレーム部３の位置決め凸部、４ｂ、４ｃは側壁部４の端部に形成され互いに係止され固定された係止部、５は側壁部４の外周に長手方向に沿って形成された凹条部である。６は側壁部４の上端内周に全周に渡って形成された当接部、７は当接部６から延設されたリブ７ａにより支持され基板２と平行に配設されたフレーム部３の吸着部である。
【００５４】
１０は天井部１１と天井部１１の外周に垂設された側面部１２とを有し側壁部４の外周に嵌装されフレーム部３に覆設されるカバー部である。カバー部１０において、天井部１１は外周にプレス加工により段１１ａが形成されており、フレーム部３の当接部６に当る当接面１１ｂが天井部１１の中央部に対して一段下がった位置になっている。１２ａは各側面部１２の長手方向の両端に分割して形成された分割側部、１２ｂは各側面部１２の両端の分割側部１２ａ、１２ａの間に３つずつ形成された嵌合側部、１３は各嵌合側部１２ｂの内側に略くの字形に折曲して形成され凹条部５に着脱自在に嵌合される嵌合凸条部である。
【００５５】
位置決め凸部４ａは各側壁部４に１つずつ配設した。これにより、フレーム部３の前後、左右の位置ずれを防止し、位置決めを確実にしている。尚、位置決め凸部４ａは少なくとも２つあればよく、全ての側壁部４に設ける必要はない。また、位置決め凸部４ａは１つの側壁部４に２つ以上配設してもよい。特に、側壁部４が長い場合には複数の位置決め凸部４ａにより、確実かつ強固に位置決め固定することができる。また、位置決め凸部４ａの先端（下端）側の隅部には面取りを施した。これにより、基板２の固定孔２ａへの位置決め凸部４ａの挿通を容易にし、組立作業性を向上させている。
【００５６】
フレーム部３の凹条部５は側壁部４を絞り加工することによる形成した。これにより、生産性に優れると共に、側壁部４に開口部や切り欠き部が形成されず、シールド性に優れる。また、凹条部５の長さは、カバー部１０の嵌合側部１２ｂに形成された嵌合凸条部１３の全長よりも長めに形成した。これにより、確実にカバー部１０の嵌合凸条部１３をフレーム部３の凹条部５に嵌合させて固定することができ、信頼性、組立作業性に優れる。
【００５７】
フレーム部３は略ロ字形に形成された平板状の部材を側壁部４と当接部６の間で折り曲げて形成した。これにより、生産性に優れると共に、当接部６が側壁部４の上端内周に全周に渡って形成され、開口部や切り欠き部が形成されないので、側壁部４の上端からの電磁波の漏洩を効果的に低減できる。側壁部４の両端部には切り欠きを有する係止部４ｂ、４ｃを形成した。側壁部４の隣接する係止部４ｂ、４ｃを互いに係止することにより、容易にフレーム部３を組立てることができ、生産性に優れる。また、フレーム部３の上面が開口していることにより、内部に収容された高周波回路や電子部品等の電気接続状態の確認や交換等を容易に行なうことができ、組立作業性、メンテナンス性に優れる。フレーム部３に吸着部７を形成したことにより、吸着部７をエアで吸着してフレーム部３の搬送や基板２への位置決め等を自動化することができ、生産性に優れる。
【００５８】
カバー部１０の各分割側部１２ａの長さは、各側面部１２の全長の８％〜１５％に形成した。各分割側部１２ａの長さが各側面部１２の全長の８％より短くなるにつれ分割側部１２ａの強度が低下し、破損し易くなる傾向があり、１５％より長くなるにつれ嵌合側部１２ｂの長さが不足し、カバー部１０の固定が不十分になる傾向があることがわかったためである。
【００５９】
各分割側部１２ａ及び嵌合側部１２ｂを分割する溝の高さは、カバー部１０の着脱時に嵌合側部１２ｂがばね性により変形できる最低限度に抑えて形成した。これにより、カバー部１０の各側面部１２からの電磁波の漏洩を低減している。また、四隅で隣接する分割側部１２ａ同士は分割して形成した。これにより、カバー部１０の着脱時に分割側部１２ａに応力が集中するのを防止し、分割側部１２ａの変形や破損の発生を低減して、信頼性を向上させている。
【００６０】
次に、フレーム部３とカバー部１０の嵌合状態について詳細に説明する。図３は図２におけるＡ−Ａ線矢視図であり、図４は図２におけるＢ−Ｂ線矢視図である。
【００６１】
図３において、分割側部１２ａは平板状に形成され側壁部４と面接触しているだけなので、フレーム部３の着脱時に応力が発生しない。これにより、フレーム部３の着脱が容易になると共に、分割側部１２ａの変形や破損が防止でき、経時的に電磁波の漏洩が増加するのを防止できる。また、当接部６の上面は、天井部１１の外周裏側の中央より一段下がった当接面１１ｂと面接触しているので、側壁部４の上端からの電磁波の漏洩を効果的に低減できる。また、天井部１１にプレス加工により段１１ａを形成したことにより、撓みが抑えられ、当接面１１ｂでは高い面精度が得られる。このため当接面１１ｂとフレーム部側の当接部６は全周にわたって導通するので、電磁波漏洩をさらに低減できる。
【００６２】
図４において、嵌合側部１２ｂの内側に略くの字形に折曲して形成された嵌合凸条部１３が側壁部４の凹条部５に嵌合されている。嵌合凸条部１３が略くの字形に形成されているのでカバー部１０をフレーム部３に被せるようにして上から下へ押し付けるだけで、嵌合側部１２ｂのばね性により、容易に嵌合凸条部１３を凹条部５に嵌合させて固定することができる。これにより、側壁部４の外周面と嵌合側部１２ｂの内周面との間に隙間が発生し難く、カバー部１０の各側面部１２からの電磁波の漏洩を低減できる。
【００６３】
以上のように本発明の実施の形態１におけるシールドケースは構成されているので、以下のような作用を有する。
【００６４】
（１）高周波回路の外周を囲繞する側壁部４を有するフレーム部３が基板２に固定され、天井部１１と天井部１１の外周に垂設された側面部１２とを有するカバー部１０が側壁部４の外周に嵌装されフレーム部３に覆設されているので、高周波回路の外周及び上面を覆って高周波回路が発する電磁波を遮断することができる。
【００６５】
（２）カバー部１０がフレーム部３と別部材で形成されていることにより、カバー部１０を着脱することができ、フレーム部３の内部に収容された高周波回路や電子部品等の交換や点検を簡便に行うことができる。
【００６６】
（３）フレーム部３が側壁部４の外周に長手方向に沿って形成された凹条部５を有し、カバー部１０が各側面部１２の長手方向に内側に嵌合凸条部１３が形成された嵌合側部１２ｂを有するので、凹条部５と嵌合凸条部１３を着脱自在に嵌合することができ、フレーム部３の側壁部４とカバー部１０の各側面部１２との間の隙間を減少させて面接触させることができ、電磁波のシールド性を向上させることができる。
【００６７】
（４）カバー部１０の各側面部１２の長手方向の両端に分割して分割側部１２ａが形成され、各側面部１２の両端の分割側部１２ａの間に嵌合側部１２ｂが形成されているので、カバー部１０の着脱時に応力が集中し易い四隅の分割側部１２ａに応力が発生せず、カバー部１０の変形を防止することができ、経時的に電磁波の漏洩が増加するのを防止できる。
【００６８】
（５）カバー部１０の各側面部１２に形成された嵌合側部１２ｂを複数に分割することにより、各嵌合側部１２ｂの長さを短くすることができ、ばね性による変形を容易にして着脱性を向上させることができる。
【００６９】
（６）各嵌合側部１２ｂの内側に嵌合凸条部１３が形成されているので、カバー部１０をフレーム部３に被せるようにして上から下へ押し付けるだけで、カバー部１０の嵌合側部１２ｂのばね性により、容易にカバー部１０の嵌合凸条部１３をフレーム部３の凹条部５に嵌合させて固定することができる。
【００７０】
（７）カバー部１０の各側面部１２が複数の嵌合側部１２ｂに分割され柔軟性を有することにより、フレーム部３とカバー部１０が馴染み易く、当接部６の上面を天井部１１の裏面に確実に当接させることができ、電磁波の遮蔽性能を向上させることができる。
【００７１】
（８）フレーム部３の上面が開口していることにより、内部に収容された高周波回路や電子部品等の電気接続状態の確認や交換等を容易に行なうことができ、組立作業性、メンテナンス性に優れる。
【００７２】
（９）四隅で隣接する分割側部１２ａ同士が分割して形成されることにより、カバー部１０の着脱時に分割側部１２ａに応力集中が発生するのを防止でき、分割側部１２ａの変形や破損が発生せず、信頼性に優れる。
【００７３】
（１０）各分割側部１２ａ及び嵌合側部１２ｂを分割する溝の高さをカバー部１０の着脱時に嵌合側部１２ｂがばね性により変形できる最低限度に抑えることにより、カバー部１０の各側面部１２からの電磁波の漏洩を低減することができる。
【００７４】
（１１）フレーム部３の上端内周に全周に渡って当接部６が形成され、切り欠き等を有さないので、天井部１１の裏面と当接部６の上面を確実に面接触させることができ、電磁波のシールド性を向上させることができ、従来に比べ約１０％の不要輻射低減効果をえることができた。
【００７５】
（１２）フレーム部３が側壁部４と当接部６を有し、その断面形状が略Ｌ字形に形成されるので、フレーム部３の剛性を向上させることができ、フレーム部３の変形や破損の発生を低減できる。
【００７６】
（１３）略ロ字形に形成された平板状の部材を側壁部４と当接部６の間で折り曲げるだけで容易にフレーム部３を形成することができ、生産性に優れる。
【００７７】
（１４）側壁部４の両端部に切り欠きを有する係止部４ｂ、４ｃを形成し、隣接する側壁部４の係止部４ｂ、４ｃを互いに係止して固定することにより、容易にフレーム部３を組立てることができ、生産性を向上させることができる。
【００７８】
（１５）フレーム部３に基板２と平行に配設された吸着部７を形成することにより、吸着部７をエアで吸着してフレーム部３の搬送や基板２への位置決め等を自動で行うことができ、生産性に優れる。
【００７９】
（１６）嵌合側部１２ｂを略くの字形に折曲するだけで嵌合凸条部１３を形成することができ、生産性に優れる。
【００８０】
（１７）嵌合凸条部１３が略くの字形に形成されていることにより、嵌合側部１２ｂの下端側が外方に拡開し、カバー部１０の側面部１２の高さを低くできるので、組立後のシールドケース１全体の高さを低くしてコンパクト化することができる。
【００８１】
（１８）フレーム部３の側壁部４の下端に位置決め凸部４ａが突設されているので、位置決め凸部４ａを基板２に穿設された固定孔２ａに挿通するだけで容易にフレーム部３を位置決めして仮固定することができ、組立作業性に優れる。
【００８２】
（１９）フレーム部３の位置決め凸部４ａが基板２の裏面で半田付けされるので、基板２上に配設された他の電子部品等と一緒に半田付けを行って固定することができ、生産性を向上させることができる。
【００８３】
（２０）位置決め凸部４ａを各側壁部４に配設した場合、フレーム部３の前後、左右の位置ずれを防止することができ、確実に位置決め固定することができる。
【００８４】
（２１）位置決め凸部４ａの先端（下端）側の隅部を面取りすることにより、容易に位置決め凸部４ａを基板２の固定孔２ａに挿通することができ、組立作業性を向上させることができる。
【００８５】
（２２）天井部１１の外周に段１１ａを形成したことにより撓みが抑えられて当接面１１ｂでは高い面精度が得られ、当接部６と全周にわたって導通するので電磁波漏洩を低減できる。
【産業上の利用可能性】
【００８６】
本発明は、小型で省スペース性に優れ、着脱によるカバー部の変形を防止でき、確実に電磁波の漏洩を低減でき信頼性に優れ、構造が簡単で生産性に優れ、カバー部の着脱が容易で組立作業性、メンテナンス性に優れたシールドケースを提供することができ、電話機の子機や携帯電話等の無線通信機器の小型化及び信頼性の向上に貢献することができる。
【図面の簡単な説明】
【００８７】
【図１】本発明の実施の形態１におけるシールドケースを示す分解斜視図
【図２】本発明の実施の形態１におけるシールドケースを示す全体斜視図
【図３】図２におけるＡ−Ａ線矢視図
【図４】図２におけるＢ−Ｂ線矢視図
【符号の説明】
【００８８】
１    シールドケース
２    基板
２ａ    固定孔
３    フレーム部
４    側壁部
４ａ    位置決め凸部
４ｂ、４ｃ    係止部
５    凹条部
６    当接部
７    吸着部
７ａ    リブ
１０    カバー部
１１    天井部
１２    側面部
１２ａ    分割側部
１２ｂ    嵌合側部
１３    嵌合凸条部
【図１】
2006093181.tif 000003
【図２】
2006093181.tif 000004
【図３】
2006093181.tif 000005
【図４】
2006093181.tif 000006